【事件の表示】
　特願２００９−　２１１４２「撮像装置、内視鏡及び電子機器」拒絶査定不服審判事件〔平成２２年　８月１２日出願公開、特開２０１０−１７２６３８〕について、次のとおり審決する。
【結　論】
　本件審判の請求は、成り立たない。
【理　由】
第１　手続の経緯
　本願は、平成２１年２月２日の出願であって、平成２４年２月２日付けで手続補正がなされ、平成２５年７月９日付けで拒絶理由が通知され、同年９月１７日付けで意見書が提出されるとともに、同日付けで手続補正がなされたが、同年１２月２６日付けで拒絶査定がなされ、これに対して、平成２６年４月７日に拒絶査定不服審判の請求がなされ、それと同時に手続補正がなされたものである。
　その後、同年５月２２日付けで審判請求書の請求の理由を補正する手続補正がなされ、平成２７年２月６日付けで上申書が提出された。 
第２　平成２６年４月７日付けの手続補正についての補正の却下の決定
［補正の却下の決定の結論］
　平成２６年４月７日付けの手続補正（以下「本件補正」という。）を却下する。
［理由］
１　本件補正について
　本件補正により、特許請求の範囲の請求項１に係る発明は、平成２５年９月１７日付けの手続補正書の特許請求の範囲の請求項１に記載の、
「　第１〜第３の色成分の照明光を、その周波数が互いに異なる第１〜第３の周波数で光強度変調する変調部と、
　前記第１〜第３の色成分の照明光が入射され、該照明光をスポット光として射出する光ファイバと、
　前記光ファイバを振動させて、前記スポット光によって前記被写体を走査するためのアクチュエータと、
　前記光ファイバにより前記第１〜第３の色成分の照明光を照射して得られる被写体からの反射光を光電変換するフォトセンサと、
　前記フォトセンサの出力信号から、前記第１〜第３の色成分の信号を復調する復調部と、を含むことを特徴とする撮像装置。」
が
「　第１〜第３の色成分の照明光を、その周波数が互いに異なる第１〜第３の周波数で光強度変調する変調部と、
　前記第１〜第３の色成分の照明光が入射され、該照明光をスポット光として射出する光ファイバと、
　前記光ファイバを振動させて、前記スポット光によって前記被写体を走査するためのアクチュエータと、
　前記光ファイバにより前記第１〜第３の色成分の照明光を照射して得られる被写体からの反射光を光電変換するフォトセンサと、
　前記フォトセンサの出力信号から、前記第１〜第３の色成分の信号を復調する復調部と、
　を含
み、
　
らせん状または１ラインごとに走査される前記光ファイバから射出する照明光を前記被写体に照射する
と補正された。（下線は補正箇所を示す。）
　そして、この補正は、「
らせん状または１ラインごとに走査される前記光ファイバから射出する照明光を前記被写体に照射する
２　独立特許要件についての検討
（１）そこで、次に、本件補正後の特許請求の範囲の請求項１に係る発明（以下「本願補正発明」という。）が特許出願の際独立して特許を受けることができるものか（特許法第１７条の２第６項において準用する同法第１２６条第７項の規定に違反しないか）について検討する。
（２）引用例
ア　原査定の拒絶の理由に引用され、本願の出願前に頒布された刊行物である特開平１０−２３９５９５号公報（以下「引用例１」という。）には、次の事項が記載されている（下線は当審において付加したものである。）。
（ア）「【０００１】
【発明の属する技術分野】本発明は、周波数変調された光スポットを被写体に投影して被写体像を得る内視鏡装置に関する。」
（イ）「【０００６】さらに電線が断線することを防止できたり、複雑な配線作業を解消したり、挿入部の径を太くしなくても高分解能にできる等の多くの長所を持つ内視鏡装置を提供することを第２の目的とする。」
（ウ）「【０００７】
【課題を解決するための手段】細長の挿入部の先端側から被写体に光を投影し、対物光学系を介して前記挿入部の後端側で被写体像を観察可能とする内視鏡装置において、発光強度が複数の周波数で変調されている複数の光スポットを被写体に投影する投影手段と、前記被写体に投影された複数の光スポットの反射光を受光する受光手段と、前記受光手段の出力を周波数分離する周波数分離手段と、前記周波数分離手段で分離された出力信号から前記反射光の明るさを検知する検知手段と、を設けることにより、高周波の駆動信号で駆動することを必要としない受光手段を採用できるので、内視鏡内に信号線を挿通した場合にも外部に放射さるノイズを実質上解消できると共に、外部からのノイズの遮蔽が容易となり、画質の良い内視鏡画像が得られるようにできる。」
（エ）「【００７０】次に本発明の第２の実施の形態の内視鏡装置の具体的な構成を説明する。図１２に示すように
内視鏡装置６１は内視鏡６２とこの内視鏡６２に周波数変調によるコーディングされた照明光を供給する光源装置部６３及びデコーディング処理してビデオ信号を合成する信号処理装置部６４とを内蔵したビデオプロセッサ６５と、ビデオ信号を表示するディスプレイ６６とから構成される。
【００７１】
内視鏡６２は体腔内に挿入される細長の挿入部６７
を備え、
【００７２】この
内視鏡６２内には照明光伝送用イメージガイド（以下、単にイメージガイドと略記）７１が挿通され、
光源装置部６３
３色発光ダイオードアレイ７３の光をテープ状ファイバアレイ７４で伝送し、
回動的に振動される可動ミラー７５で反射されたライン状の光スポットアレイをイメージガイド７１の入射端に入射するようにしている。
【００７３】つまり、
赤（Ｒ），緑（Ｇ），青（Ｂ）の３原色の光を同時に発光する３色発光ダイオードアレイ７３を構成する３色発光ダイオード７３（ｒ）（ここで、ｒ＝１，２，…，ｍ）をそれぞれ発振周波数が異なる発振器７６Ｒ（ｒ），７６Ｇ（ｒ），７６Ｂ（ｒ）の発振出力を光源駆動回路７７でそれぞれ増幅した駆動信号で駆動するようにしている。
【００７４】換言すると、図１２に示すように３色発光ダイオードアレイ７３の赤色発光ダイオードアレイ部分は赤色発光ダイオードアレイ駆動部８０Ｒで駆動され、緑色発光ダイオードアレイ部分は緑色発光ダイオードアレイ駆動部８０Ｇで駆動され、青色発光ダイオードアレイ部分は青色発光ダイオードアレイ駆動部８０Ｂで駆動される。そして、全ての発振器はその発振周波数が異なるように設定し、信号処理装置部６４側での周波数の弁別手段で弁別（分離抽出）できるようにしている。
【００７５】３色発光ダイオードアレイ７３の各３色発光ダイオード７３（ｒ）の３色の光は対向するようにそれぞれ配置された（テープ状ファイバアレイ７４を形成する）各ファイバの入射側の端面にそれぞれ入射され、それぞれのファイバで伝送され、他方の端面、つまり出射端面から可動ミラー７５に出射される。
【００７６】テープ状ファイバアレイ７４の出射端は例えば垂直方向にライン状に配置され、テープ状ファイバアレイ７４の出射端から出射されたライン状のｍ個の光スポットは可動ミラー駆動手段としての例えばモータ７８によって回動的に振動される可動ミラー７５で反射され、結像レンズ７２によりイメージガイド７１の端面の垂直方向のファイバ列を水平方向に走査するように入射される。なお、モータ７８はモータ駆動回路７９により駆動される。
【００７７】この
イメージガイド７１により伝送された光は挿入部６７の先端部に固定された出射端から照明レンズ８１を介して被写体８２に投影され、被写体８２にはライン状の光スポットがこのラインと直交する方向に走査される。
【００７８】この先端部には対物レンズ或いは集光レンズ８３が設けてあり、
被写体８２に照射された光の反射光は集光されアバランシェ・フォトダイオード
光電変換素子８４で受光される。
【００７９】この光電変換素子８４は単一の画素に対する光電変換機能を有するものであり、この
光電変換素子８４で光電変換された信号は１本の同軸線で形成される信号線８５により伝送され、
ビデオプロセッサ６５の信号処理装置部６４を構成する増幅器８６に入力され、増幅された後、周波数成分分離手段８７に入力される。
【００８０】
この周波数成分分離手段８７は
受信された信号から発振器の周波数成分をそれぞれ分離する。
【００８１】このように同期して行うことができるように可動ミラー７５を駆動するモータ駆動回路７９はタイミングコントローラ８８と接続され、タイミングコントローラ８８からのタイミグ信号に同期してモータ７８を介して可動ミラー７５を駆動する。
【００８２】つまり、周波数成分分離手段８７は周波数分離により分離された信号データが垂直方向のどの位置のファイバから出射されたかをデコードできるが、水平方向（周波数成分分離手段８７に対しては経時方向或いは時間軸方向）は識別しないので、タイミングコントローラ８８からのタイミング信号を参照して水平方向の位置の分離或いはデコードを行う。
【００８３】
周波数成分分離手段８７で分離された
Ｒ，Ｇ，Ｂの画像信号データはビデオ信号合成手段８９に入力され、ビデオ信号が合成され、ディスプレイ６６に被写体像がカラー表示される。
（オ）「【０１１４】なお、上述の各実施の形態などでにおいて、周波数の分離手段にロックインアンプを用い、変調に用いた発振器の発振信号を参照信号に用い、（光電変換手段で光電変換され、各周波数の信号が多重化された）入力信号に対して同期検波を行うことにより、各周波数の信号成分を分離抽出するようにしても良い。また、上述した実施の形態などを部分的等で組み合わせて構成される実施の形態等も本発明に属する。」
（カ）【図１２】
「
　　　　　　　　　　　　　　　　　　　　　　　　　　　　　」
イ　引用例１に記載された発明の認定
　上記ア（ア）ないし（カ）を含む引用例１全体の記載を総合すると、引用例１には、
「　内視鏡６２と、この内視鏡６２に周波数変調によるコーディングされた照明光を供給する光源装置部６３及びデコーディング処理してビデオ信号を合成する信号処理装置部６４とを内蔵したビデオプロセッサ６５と、ビデオ信号を表示するディスプレイ６６とから構成される内視鏡装置６１であって、
　内視鏡６２は体腔内に挿入される細長の挿入部６７を備え、内視鏡６２内には照明光伝送用イメージガイド７１が挿通され、
　光源装置部６３は、３色発光ダイオードアレイ７３の光をテープ状ファイバアレイ７４で伝送し、回動的に振動される可動ミラー７５で反射されたライン状の光スポットアレイを照明光伝送用イメージガイド７１の入射端に入射するようにし、
　赤（Ｒ），緑（Ｇ），青（Ｂ）の３原色の光を同時に発光する３色発光ダイオードアレイ７３を構成する３色発光ダイオード７３（ｒ）（ここで、ｒ＝１，２，…，ｍ）を、それぞれ発振周波数が異なる発振器７６Ｒ（ｒ），７６Ｇ（ｒ），７６Ｂ（ｒ）の発振出力を光源駆動回路７７でそれぞれ増幅した駆動信号で駆動し、
　照明光伝送用イメージガイド７１により伝送された光は挿入部６７の先端部に固定された出射端から照明レンズ８１を介して被写体８２に投影され、被写体８２にはライン状の光スポットがこのラインと直交する方向に走査され、
　被写体８２に照射された光の反射光は集光されアバランシェ・フォトダイオードである光電変換素子８４で受光され、
　光電変換素子８４で光電変換された信号は１本の同軸線で形成される信号線８５により伝送され、ビデオプロセッサ６５の信号処理装置部６４を構成する増幅器８６に入力され、増幅された後、周波数成分分離手段８７に入力され、周波数成分分離手段８７は、受信された信号から発振器の周波数成分をそれぞれ分離し、
　周波数成分分離手段８７で分離されたＲ，Ｇ，Ｂの画像信号データはビデオ信号合成手段８９に入力され、ビデオ信号が合成され、ディスプレイ６６に被写体像がカラー表示される、内視鏡装置６１。」
の発明（以下「引用発明」という。）が記載されている。
ウ　原査定の拒絶の理由に引用され、本願の出願前に電気通信回線を通じて公衆に利用可能となった国際公開第２００７／０６７１６３号（以下「引用例２」という。）には、次の事項が記載されている（下線は当審において付加したものである。和訳は、引用例２の日本語ファミリーである特表２００９−５１６５６８号公報の記載を採用した。）。
（ア）第１１頁２９行ないし第１４頁１４行
「　For example, a cut-away view in FIGURE 2A illustrates a variable radius or 
spiral scan mode of an optical fiber device 200
The scan mode
can be generated by driving an optical fiber 208 into a resonant (or near resonant) condition using a two axis piezoceramic tube actuator 206.
a plurality of light detectors 204 are arrayed around single piezoceramic tube actuator 206
to produce signals indicative of the light received from a ROI
The distal end of the scanning optical fiber corresponds to an optical point source that can be focused onto an illumination plane
by adding an imaging lens system 214.
　A series of variable radii circles are produced in a circular scan mode. The optical fiber can be driven in either mode during successive scanning frames. 
When driven in a spiral scan mode
the radius is increased in the desired pattern, and then the fiber is more rapidly returned to its centered positin to begin the next frame
the distal end of optical fiber 208 scans an ROI to image the region
　A propeller scan mode 216 is illustrated in FIGURE 2B. In this scanning mode, the scanning optical fiber moves back and forth along different diameters of a circle, scanning the ROI. The rotation of the linear scan can be generated from the two-axis piezoceramic tube actuator or by simply rotating a single-axis actuator so that the axis of movement rotates in a corresponding manner about the longitudinal axis of the optical fiber. Again, the propeller scan mode can be used in successive scanning frames, or can be used in combination with either the linear, elliptical, circular, or spiral scan modes in successive scanning frames.
　Instead of using a stationary imaging lens system at the tip of the endoscope, an alternative beam scanning embodiment 220 of the optical fiber device is illustrated in FIGURE 2C. This embodiment uses a combination of a microlens 228 at the distal fiber tip, and a scan lens system 238. The use of microlens 228 on the distal end of optical fiber 226 produces a PSF that is consistently small across a wide field of view (FOV). The addition of a microlens to the resonant cantilevered waveguide structure creates a more complicated dynamic system than the previous point-source imaging embodiments shown in FIGURES IA and 2A Beam scanning embodiment 220 includes a cylindrical supporting housing 222 in which is disposed a cylindrical actuator 224 of the piezoelectric or piezoceramic type that drives an optical fiber 226 to vibrate in a resonant 2-D scanning mode. Microlens 228 is fabricated at the distal end of optical fiber 226 for the purpose of generally collimating a scanned beam of light. The scanned beam 230 of light is focused by scan lens system 238 and describes an angle that is preferably greater than or equal to at least 40# relative to the longitudinal axis of the optical fiber and of cylindrical housing 222. When scanning, the center of the cantilevered portion of the optical fiber moves back and forth about this axis, as illustrated, while the point source of light emanating from the distal tip of optical fiber 226 remains generally stationary due to its inertia! mass and the fact that the vibratory node is near the tip at a second node of resonance. The length of optical fiber 226 extending distally beyond actuator 224 and the mass of microlens 228 are selected to ensure that the scanning occurs with this form of motion. Light detectors 232 are disposed as an outer annulus of a scan lens 233 and in a base 235 around cylindrical actuator 224, which may be coated with a highly optical reflective material 237 (e.g., aluminum) to help channel the backscattered light to the detectors at high efficiencies. The light detectors may be optical sensors or may comprise the distal tips of collection optical fibers (with the option of including a microlens on each collection optical fiber for increased collection efficiency).
　Theoretically, only a single light detector is required to collect the backscattered scanned light, to generate a monochrome or black and white image. 
A simple method for generating a full-color image
An alternative method for separating the spectral response of a light detector that is not filtered requires synchronizing the detector signal in time with an appropriate illumination source having a pulsed output. For example, the same visible light detector can be used without any filters if the RGB laser or other light sources are individually pulsed in rapid time series and in synchronicity with the processing of signals received from the light detectors.
　Leads 234 extend from each of the light detectors to the proximal end of the optical fiber, which is external to the patient's body, to convey the electrical signals from the light detectors to the external instrumentation, as discussed above. Actuator 224 is driven with an electrical signal supplied through leads 236, and the characteristics and timing of the electrical signal determine the scan pattern, amplitude, and other parameters of the scanning pattern executed in each successive scanning frame.」
（  例えば、図２Ａの切欠図が、
光ファイバデバイス２００
螺旋スキャンモード
スキャンモードは、２軸圧電セラミック管アクチュエータ２０６を使用して光ファイバ２０８を駆動させて共振（または近共振）状態にすることにより、発生させることができる。
複数の光検出器２０４が、
単一圧電セラミック管アクチュエータ２０６の周りに配列されて、
ＲＯＩから受け取られる光を示す信号を生成する。
走査光ファイバの遠位端は、撮像レンズ系２１４を追加することにより照明面
上に合焦することができる光点源に対応する。
  円形スキャンモードでは、一連の可変半径の円が生成される。光ファイバは、連続走査フレーム中にいずれかのモードで駆動させることができる。
螺旋スキャンモードで駆動されるとき、
半径は、所望のパターンで増加され、次いでファイバが、より迅速にその中央位置に戻り、次のフレームを始める。
光ファイバ２０８の遠位端がＲＯＩを走査して、領域を撮像
  「プロペラ」スキャンモード２１６が図２Ｂに例示されている。この走査モードでは、走査光ファイバが、様々な直径の円に沿って往復して移動して、ＲＯＩを走査する。線形スキャンの回転は、２軸圧電セラミック管アクチュエータにより、または単に、動作軸が光ファイバの長手方向軸の周りで対応する様式で回転するように単軸アクチュエータを回転させることにより発生させることができる。先と同様に、プロペラスキャンモードも連続走査フレームで使用することができ、あるいは線形、楕円、円形、または螺旋スキャンモードと組み合わせて連続走査フレームで使用することができる。
  
内視鏡
  理論上は、モノクロームまたは白黒画像を発生させるためには、後方散乱された走査光を収集するためにただ１つの光検出器のみが必要とされる。
フルカラー画像を発生させるための単純な方法
フィルタされない光検出器のスペクトル応答を分離するための代替方法は、検出器信号を、パルス出力を有する適切な照明源と時間的に同期させることを必要とする。例えば、ＲＧＢレーザまたは他の光源が、高速時系列で、光検出器から受信される信号の処理と同期して個々にパルスされる場合、フィルタを用いずに同じ可視光検出器を使用することができる。
  リード線２３４が、各光検出器から、患者の身体の外部にある光ファイバの近位端に延在して、上述したように、光検出器から外部機器に電気信号を搬送する。アクチュエータ２２４は、リード線２３６を介して供給される電気信号により駆動され、電気信号の特性およびタイミングが、スキャンパターン、振幅、および各連続走査フレームで実行される走査パターンの他のパラメータを決定する。）
（イ）ＦＩＧ．２Ａ
「
　　　　　　　　　　　　　　　　　　　　　　　　　　　　　」
エ　引用例２に記載された発明の認定
　上記ウ（ア）及び（イ）を含む引用例２全体の記載を総合すると、引用例２には、
「　螺旋スキャンモードを、２軸圧電セラミック管アクチュエータ２０６を使用して光ファイバ２０８を駆動させて共振（または近共振）状態にすることにより、発生させることができる光ファイバデバイス２００と、２軸圧電セラミック管アクチュエータ２０６の周りに配列されて、ＲＯＩから受け取られる光を示す信号を生成する複数の光検出器２０４とを備え、
　光ファイバ２０８の遠位端が、撮像レンズ系２１４を追加することにより照明面上に合焦することができる光点源に対応するようにし、
　螺旋スキャンモードで駆動されるとき、半径は、所望のパターンで増加され、次いで光ファイバ２０８が、より迅速にその中央位置に戻り、次のフレームを始めるようにして、光ファイバ２０８の遠位端がＲＯＩを走査して、領域を撮像する内視鏡。」
の発明（以下「引用発明２」という。）が記載されている。
（３）本願補正発明と引用発明との対比
　
ア　対比
　
　本願補正発明と引用発明とを対比する。
（ア）
ａ　引用発明の「３色発光ダイオードアレイ７３を構成する３色発光ダイオード７３（ｒ）」が「同時に発光する」「赤（Ｒ），緑（Ｇ），青（Ｂ）の３原色の光」は、「照明光伝送用イメージガイド７１により伝送され」て「被写体８２に照射され」るものであって、照明光であることは明らかであるから、引用発明の「３色発光ダイオード７３（ｒ）」が発光する「赤（Ｒ），緑（Ｇ），青（Ｂ）の３原色の光」は、本願補正発明の「第１〜第３の色成分の照明光」に相当する。
ｂ　引用発明は「３色発光ダイオードアレイ７３を構成する３色発光ダイオード７３（ｒ）（ここで、ｒ＝１，２，…，ｍ）を、それぞれ発振周波数が異なる発振器７６Ｒ（ｒ），７６Ｇ（ｒ），７６Ｂ（ｒ）の発振出力を光源駆動回路７７でそれぞれ増幅した駆動信号で駆動」するものであるところ、ダイオードを周期的に変化する駆動信号で駆動することは、ダイオードが発光する光を周波数で光強度変調することにほかならないから、引用発明の「それぞれ発振周波数が異なる発振器７６Ｒ（ｒ），７６Ｇ（ｒ），７６Ｂ（ｒ）の発振出力を」「それぞれ増幅した駆動信号で駆動」する「光源駆動回路７７」は、本願補正発明の「その周波数が互いに異なる第１〜第３の周波数で光強度変調する変調部」に相当する。
ｃ　以上のことから、引用発明の「赤（Ｒ），緑（Ｇ），青（Ｂ）の３原色の光を同時に発光する」「３色発光ダイオード７３（ｒ）を、それぞれ発振周波数が異なる発振器７６Ｒ（ｒ），７６Ｇ（ｒ），７６Ｂ（ｒ）の発振出力をそれぞれ増幅した駆動信号で駆動する光源駆動回路７７」は、本願補正発明の「第１〜第３の色成分の照明光を、その周波数が互いに異なる第１〜第３の周波数で光強度変調する変調部」に相当する。
（イ）
ａ　引用発明の「テープ状ファイバアレイ７４」は、「３色発光ダイオードアレイ７３の光を」「伝送」するものであるから、引用発明の「テープ状ファイバアレイ７４」に、「３色発光ダイオード７３（ｒ）」が「同時に発光する」「赤（Ｒ），緑（Ｇ），青（Ｂ）の３原色の光」が入射することは明らかである。
ｂ　また、引用発明の「テープ状ファイバアレイ７４」は、「３色発光ダイオードアレイ７３の光を」「伝送」するものであることから、引用発明の「テープ状ファイバアレイ７４」が、複数の光ファイバのアレイであることも明らかである。
ｃ　引用発明において、「３色発光ダイオードアレイ７３の光」は、「テープ状ファイバアレイ７４で伝送」され、「回動的に振動される可動ミラー７５で反射され」て「ライン状の光スポットアレイ」を形成していることから、引用発明の「テープ状ファイバアレイ７４」を構成する各光ファイバが射出する光は、光スポットを形成しているものと認められる。よって、引用発明の「テープ状ファイバアレイ７４」を構成する各光ファイバは、「スポット光」を射出しているといえる。
ｄ　以上のことから、引用発明の「３色発光ダイオードアレイ７３の光を」「伝送」し、伝送した光が「回動的に振動される可動ミラー７５で反射され」て「ライン状の光スポットアレイ」を形成している「テープ状ファイバアレイ７４」を構成する各「光ファイバ」は、本願補正発明の「前記第１〜第３の色成分の照明光が入射され、該照明光をスポット光として射出する光ファイバ」に相当する。
（ウ）
ａ　引用発明の「被写体８２」は、本願補正発明の「被写体」に相当する。
ｂ　引用発明において、「被写体８２にはライン状の光スポットがこのラインと直交する方向に走査され」る機序が、「回動的に振動される可動ミラー７５で反射されたライン状の光スポットアレイ」が「照明光伝送用イメージガイド７１の入射端に入射する」位置が、「回動的に振動される可動ミラー７５」の振動によって変化することであることは明らかである。
ｃ　以上のことから、引用発明の「被写体８２に」「ライン状の光スポット」を「このラインと直交する方向に走査」する「回動的に振動される可動ミラー７５」と、本願補正発明の「前記光ファイバを振動させて、前記スポット光によって前記被写体を走査するためのアクチュエータ」とは、「前記スポット光によって前記被写体を走査するための機構」である点において共通する。
（エ）
ａ　引用発明の「被写体８２に照射された光」は、「３色発光ダイオードアレイ７３の光をテープ状ファイバアレイ７４で伝送し」、「照明光伝送用イメージガイド７１により伝送され」て「被写体８２に投影され」たものであるから、引用発明の「被写体８２に照射された光の反射光」は、本願補正発明の「前記光ファイバにより前記第１〜第３の色成分の照明光を照射して得られる被写体からの反射光」に相当する。
ｂ　引用発明の「光電変換素子８４」は、「アバランシェ・フォトダイオード」であるから、本願補正発明の「フォトセンサ」に相当する。
ｃ　引用発明の「光電変換素子８４」が、受光した光を光電変換することは明らかである。
ｄ　以上のことから、引用発明の「被写体８２に照射された光の反射光」を「受光」する「アバランシェ・フォトダイオードである光電変換素子８４」は、本願補正発明の「前記光ファイバにより前記第１〜第３の色成分の照明光を照射して得られる被写体からの反射光を光電変換するフォトセンサ」に相当する。
（オ）
ａ　引用発明の「信号線８５により伝送され」る「光電変換素子８４で光電変換された信号」は、「光電変換素子８４」の「出力信号」にほかならないから、本願補正発明の「前記フォトセンサの出力信号」に相当する。
ｂ　引用発明の「周波数成分分離手段８７」は、「受信された信号から発振器の周波数成分をそれぞれ分離し」、「Ｒ，Ｇ，Ｂの画像信号データ」を得るものであり、「Ｒ，Ｇ，Ｂ」の信号を復調するものであるから、引用発明の「受信された信号から発振器の周波数成分をそれぞれ分離し」、「Ｒ，Ｇ，Ｂの画像信号データ」を得る「周波数成分分離手段８７」は、本願補正発明の「前記第１〜第３の色成分の信号を復調する復調部」に相当する。
ｃ　以上のことから、引用発明の「信号線８５により伝送され」る「光電変換素子８４で光電変換された信号」が入力され、「受信された信号から発振器の周波数成分をそれぞれ分離し」、「Ｒ，Ｇ，Ｂの画像信号データ」を得る「周波数成分分離手段８７」は、本願補正発明の「前記フォトセンサの出力信号から、前記第１〜第３の色成分の信号を復調する復調部」に相当する。
（カ）
ａ　本願補正発明において「前記被写体に照射」される「前記光ファイバから射出する照明光」は、「前記光ファイバ」が「らせん状または１ラインごとに走査される」ことから、「前記被写体」上を走査するものである。
ｂ　よって、引用発明の「テープ状ファイバアレイ７４で伝送し、回動的に振動される可動ミラー７５で反射され」、「照明光伝送用イメージガイド７１により伝送された光」が「被写体８２に投影され」、「被写体８２にはライン状の光スポットがこのラインと直交する方向に走査され」ることと、本願補正発明の「らせん状または１ラインごとに走査される前記光ファイバから射出する照明光を前記被写体に照射すること」とは、「前記光ファイバから射出する照明光を前記被写体に照射して走査すること」である点において共通する。
（キ）引用発明の「内視鏡装置６１」は、「光電変換素子８４で光電変換された信号」から「被写体像」を得るものであるから、本願補正発明の「撮像装置」に相当する。
イ　一致点及び相違点
　
　よって、本願補正発明と引用発明とは、
「　第１〜第３の色成分の照明光を、その周波数が互いに異なる第１〜第３の周波数で光強度変調する変調部と、
　前記第１〜第３の色成分の照明光が入射され、該照明光をスポット光として射出する光ファイバと、
　前記スポット光によって前記被写体を走査するための機構と、
　前記光ファイバにより前記第１〜第３の色成分の照明光を照射して得られる被写体からの反射光を光電変換するフォトセンサと、
　前記フォトセンサの出力信号から、前記第１〜第３の色成分の信号を復調する復調部と、
　を含み、
　前記光ファイバから射出する照明光を前記被写体に照射して走査する撮像装置。」　
　
の発明である点で一致し、次の２点で相違する。
　
（相違点１）
　前記スポット光によって前記被写体を走査するための機構が、本願補正発明は、「前記光ファイバを振動させ」る「アクチュエータ」であるのに対し、引用発明は、「回動的に振動される可動ミラー７５」である点。
（相違点２）
　前記光ファイバから射出する照明光を前記被写体に照射して走査することが、本願補正発明は、らせん状または１ラインごとに走査される前記光ファイバによってなされるのに対し、引用発明は、ライン状の光スポットが回動的に振動される可動ミラー７５で反射されてなされる点。
（４）当審の判断
　
ア　上記各相違点について検討する。
（ア）相違点１について
　本願補正発明と引用発明２とを対比する。
ａ
（ａ）引用発明２の「光ファイバ２０８」、「共振（または近共振）状態」、「ＲＯＩ」及び「２軸圧電セラミック管アクチュエータ２０６」が、それぞれ本願補正発明の「光ファイバ」、「振動」、「被写体」及び「アクチュエータ」に相当する。
（ｂ）引用発明２の「光ファイバ２０８の遠位端」が、「照明面上に合焦することができる光点源に対応する」ことから、引用発明２において、「光ファイバ２０８の遠位端」から射出される光は、スポット光であるといえる。
（ｃ）以上のことから、引用発明２の「光ファイバ２０８」を「共振（または近共振）状態に」して「光ファイバ２０８の遠位端がＲＯＩを走査」するようにする「２軸圧電セラミック管アクチュエータ２０６」は、本願補正発明の「前記光ファイバを振動させて、前記スポット光によって前記被写体を走査するためのアクチュエータ」に相当する。
ｂ
（ａ）引用発明２において、「光ファイバ２０８」が「螺旋スキャンモードで駆動されるとき」、「光ファイバ２０８」がらせん状に走査されること、及び、「領域を撮像する」際、「光ファイバ２０８の遠位端」から光が射出されることは、いずれも明らかである。
（ｂ）上記（ａ）及びａ（ｂ）を踏まえると、引用発明２の「領域を撮像する」際、「光ファイバ２０８」を「螺旋スキャンモードで駆動」して、「光ファイバ２０８の遠位端がＲＯＩを走査」することは、本願補正発明の「らせん状または１ラインごとに走査される前記光ファイバから射出する照明光を前記被写体に照射すること」に相当する。
　上記ａでの対比の結果から、引用発明２は、上記相違点１に係る本願補正発明の特定事項である「光ファイバを振動させるアクチュエータ」を備えている。
　引用例２の第１２頁８〜１１行に「A major advantage of this embodiment is that it employs a single actuator and a waveguide that provide high resolution, directed illumination, and imaging within a relatively small diameter enclosure.」（この実施形態の主な利点は、これが、高解像度と、指向された照明と、比較的小さな直径の筐体内での撮像とを提供する単一アクチュエータおよび導波路を採用することである。）と記載されているように、引用発明２は、高解像度を維持しつつ内視鏡の寸法を減少させるという効果を奏するものである。
　また、引用例１の【０００６】に「挿入部の径を太くしなくても高分解能にできる等の多くの長所を持つ内視鏡装置を提供することを第２の目的とする。」（上記摘記事項（２）ア（イ））と記載されているように、引用発明は、高解像度を維持しつつ内視鏡の寸法を減少させるという課題を有するものである。
　してみると、引用例１及び２に接した当業者にとって、引用発明に、共通の課題を有する引用発明２の構成を適用することを試みることに、困難性はなく、しかも、ライン状の光スポットがこのラインと直交する方向に走査して照明光伝送用イメージガイド７１の入射端に入射する、すなわち、外形を小さくするのが困難な照明光伝送用イメージガイド７１を用いる引用発明と比較して、光ファイバ２０８を共振させる引用発明２の方が、高解像度を維持しつつ内視鏡の寸法を減少させるという効果が期待できると予測することは、当業者にとって自然な発想であるといえる。
　そして、引用発明は、ライン状の光スポットをこのラインと直交する方向に走査して二次元走査を実行するものであるところ、引用発明２は、螺旋スキャンモードにより二次元走査を実行することができるものであるから、引用発明において、二次元走査を実行するための構成として、「３色発光ダイオードアレイ７３の光をテープ状ファイバアレイ７４で伝送し、回動的に振動される可動ミラー７５で反射されたライン状の光スポットアレイを照明光伝送用イメージガイド７１の入射端に入射するようにし」、「照明光伝送用イメージガイド７１により伝送された光」を「出射端から」出射する構成に代えて、引用発明２の「光ファイバ２０８」を「共振（または近共振）状態に」して「光ファイバ２０８の遠位端がＲＯＩを走査」するようにする「２軸圧電セラミック管アクチュエータ２０６」を用い、「光ファイバ２０８」を「螺旋スキャンモードで駆動」して、「光ファイバ２０８の遠位端がＲＯＩを走査」する構成を採用し、上記相違点１に係る本願補正発明の発明特定事項のように構成することは、当業者が容易に想到し得ることである。
（イ）相違点２について
　上記（ア）ｂでの対比の結果から、引用発明２は、上記相違点２に係る本願補正発明の特定事項である「らせん状または１ラインごとに走査される前記光ファイバ」を備えている。
　そして、上記（ア）で検討したように、引用発明に引用発明２の「光ファイバ２０８」を「共振（または近共振）状態に」して「光ファイバ２０８の遠位端がＲＯＩを走査」するようにする「２軸圧電セラミック管アクチュエータ２０６」を採用する際、引用発明２の「光ファイバ２０８」を「螺旋スキャンモードで駆動」することも同時に採用されるものであるから、上記相違点２に係る本願補正発明の発明特定事項は、引用発明に上記（ア）で検討した引用発明２の構成を採用することにより得られるものである。
イ　本願補正発明の奏する作用効果
　本願補正発明によってもたらされる効果は、引用発明及び引用発明２から当業者が予測し得る程度のものである。
　
ウ　まとめ
　以上のとおりであり、本願補正発明は、引用発明及び引用発明２に基いて当業者が容易に発明をすることができたものであるから、特許法第２９条第２項の規定により特許を受けることができない。
　なお、上記「（４）当審の判断」は、原審の拒絶査定における判断と同様に、本願補正発明は引用例１に記載された発明に引用例２に記載された発明を適用することで容易に発明をすることができたものであるとしたものであり、請求人の平成２７年２月６日付けの上申書に記載されている、引用文献２に記載された発明に引用文献１に記載された発明を適用することは容易ではないとの主張については、本来反論する必要のないことではあるが、仮に引用文献２に記載された発明に引用文献１に記載された発明を適用したとしても、以下のとおり、本願補正発明は当業者が容易に発明をすることができたものであることに変わりはない。
　引用例２（上記上申書における引用文献２に相当）には、上記（２）エで認定した引用発明２に加えて、フルカラー画像を発生させる方法として、ＲＧＢレーザまたは他の光源を、高速時系列で、光検出器から受信される信号の処理と同期して個々にパルスすることで、フィルタを用いずに同じ可視光検出器を使用することが記載されており（引用例２の第１４頁２ないし７行の記載参照。）、引用発明２において単一の可視光検出器を用いてフルカラー画像を取得することが意図されている。
　すなわち、引用例２は、Ｒ光、Ｇ光、Ｂ光に対応する信号を分離して検出する必要性を認識しているものである。
　一方、引用例１（上記上申書における引用文献１に相当）には、上記（２）イで認定した引用発明から把握されるように、単一の光電変換素子８４によりカラー画像を取得するために、赤（Ｒ），緑（Ｇ），青（Ｂ）の３原色の光を異なる周波数で光強度変調し、光電変換素子８４の出力信号を復調する技術が記載されている。
　してみると、引用例２及び引用例１は、いずれも単一の可視光検出器を用いてフルカラー画像を取得する内視鏡に関する技術であり、引用発明２に引用発明が備える単一の可視光検出器を用いてフルカラー画像を取得するための構成を採用することは、十分な動機付けがあるものといえる。
　そして、上記上申書で請求人が主張する「色ずれの解消による高画質化」は、異なる周波数を用いて光強度変調及び復調を行う技術によってもたらされるものと認められ、引用発明によって得られる効果であるから、当業者の予測を超える格別なものとは認められない。
　よって、上記上申書における請求人の主張は、本願補正発明の進歩性に係る当審の判断を覆すものではない。
（５）補正の却下の決定のむすび
　したがって、本願補正発明は特許出願の際独立して特許を受けることができるものであるということができないから、本件補正は、特許法第１７条の２第６項において準用する同法第１２６条第７項の規定に違反するものであり、同法第１５９条第１項の規定において読み替えて準用する同法第５３条第１項の規定により却下されるべきものである。
第３　本願発明について
１　本願発明
　平成２６年４月７日付けの手続補正は上記のとおり却下されたので、本願の請求項１に係る発明（以下「本願発明」という。）は、平成２５年９月１７日付けの手続補正により補正された特許請求の範囲の請求項１に記載された事項により特定されるとおりのものである。（上記第２［理由］１の記載参照。）
２　引用例
　原査定の拒絶の理由に引用された引用例１及び引用例２の記載事項及び引用発明及び引用発明２については、上記第２［理由］２の（２）引用例に記載したとおりである。
３　対比・判断
　本願発明は、上記第２［理由］２で検討した本願補正発明から、「らせん状または１ラインごとに走査される前記光ファイバから射出する照明光を前記被写体に照射すること」との限定事項を削除したものに相当する。
　よって、本願発明と引用発明とを対比すると、上記第２［理由］２（３）の「ア　対比」において記載したのと同様の対比の手法及び結果により、本願発明と引用発明とは、
「　第１〜第３の色成分の照明光を、その周波数が互いに異なる第１〜第３の周波数で光強度変調する変調部と、
　前記第１〜第３の色成分の照明光が入射され、該照明光をスポット光として射出する光ファイバと、
　前記スポット光によって前記被写体を走査するための機構と、
　前記光ファイバにより前記第１〜第３の色成分の照明光を照射して得られる被写体からの反射光を光電変換するフォトセンサと、
　前記フォトセンサの出力信号から、前記第１〜第３の色成分の信号を復調する復調部と、を含む撮像装置。」　
の発明である点において一致し、実質的に上記第２［理由］２（３）の「イ　一致点及び相違点」における「（相違点１）」に相当する１つの相違点（すなわち、上記相違点１において「本願補正発明」を「本願発明」と置き換えたもの）においてのみ相違する。
　そして、上記相違点１については、上記第２［理由］２（４）アの「（ア）相違点１について」で検討したとおりであり、また、本願発明によってもたらされる効果は、引用発明及び引用発明２から当業者が予測し得る程度のものであることから、本願発明は、引用発明及び引用発明２に基いて当業者が容易に発明をすることができたものである。
４　むすび
　以上のとおりであるから、本願発明は、特許法第２９条第２項の規定により特許を受けることができない。
　したがって、その余の請求項に係る発明について論及するまでもなく、本願は拒絶すべきものである。
　よって、結論のとおり審決する。